(57)【要約】【課題】  複数のレーザビームを走査出力するマルチビーム走査装置を備えた電子写真方式のレーザビームプリンタや複写機などの画像形成装置において、従来と比較して構造が単純で安価なセンサを使用し、レーザ間での主走査方向書出し位置ずれを防止する。【解決手段】  各レーザビーム毎に独立した、レーザビーム間主走査方向ずれ検出用画像パッチを複数生成するための画像信号を出力する画像信号生成手段と、生成した前記画像パッチ間の副走査方向間隔を検出する間隔検出手段と、検出した前記副走査方向の間隔から、レーザ間の主走査方向の書出し位置ずれ量を算出するずれ検出手段と、レーザ間の主走査方向ずれを補正する補正手段を備えたことを特徴とする。【選択図】図１
2005349748.tif 000002
【特許請求の範囲】
【請求項１】
画像信号に応じて、複数のレーザビームを出力するマルチビーム走査装置と、前記マルチビーム走査装置から出力されるレーザビームによって走査露光されながら、レーザビームの副走査方向に回転駆動される感光体と、レーザビームによって感光体上に形成された画像領域を現像する現像機と、現像された画像を中間転写体に転写する第一の転写器と、中間転写体上の画像を記録部材に転写する第二の転写器とを備える画像形成装置において、各レーザビームごとに独立した、レーザビーム間主走査方向ずれ検出用画像パッチを複数生成するための画像信号を出力する画像信号生成手段と、生成した前記画像パッチ間の副走査方向間隔を検出する間隔検出手段と、検出した前記副走査方向の間隔からレーザビーム間の主走査方向の書出し位置ずれ量を算出するずれ検出手段と、レーザビーム間の主走査方向ずれを補正する補正手段を備えることを特徴とした画像形成装置。
【請求項２】
画像信号に応じて、複数のレーザビームを出力するマルチビーム走査装置と、前記マルチビーム走査装置から出力されるレーザビームによって走査露光されながら、レーザビームの副走査方向に回転駆動される感光体と、レーザビームによって感光体上に形成された画像領域を現像する現像機と、現像された画像を記録部材に転写する転写器とを備える画像形成装置において、各レーザビームごとに独立した、レーザビーム間主走査方向ずれ検出用画像パッチを複数生成するための画像信号を出力する画像信号生成手段と、生成した前記画像パッチ間の副走査方向間隔を検出する間隔検出手段と、検出した前記副走査方向の間隔からレーザビーム間の主走査方向の書出し位置ずれ量を算出するずれ検出手段と、レーザビーム間の主走査方向ずれを補正する補正手段を備えることを特徴とした画像形成装置。
【請求項３】
前記画像パッチ生成時、前記感光体の回転速度を通常よりも減速する感光体駆動手段を備え、前記間隔検出手段は前記感光体上画像パッチを検出することを特徴とした請求項１又は２記載の画像形成装置。
【請求項４】
前記画像パッチ生成時、前記感光体の回転速度及び、記録部材の搬送速度を通常よりも減速する感光体駆動手段および搬送手段を備え、前記間隔検出手段は前記記録部材上の画像パッチを検出することを特徴とした請求項１記載の画像形成装置。
【請求項５】
前記画像パッチ生成時、前記感光体及び前記中間転写体の回転速度を通常よりも減速する感光体駆動手段および中間転写体駆動手段を備え、前記間隔検出手段は前記中間転写体上の画像パッチを検出することを特徴とした請求項２記載の画像形成装置。
【請求項６】
前記画像パッチ生成時、前記感光体及び前記中間転写体の回転速度と、前記記録部材の搬送速度を、通常よりも減速する感光体駆動手段、中間転写体駆動手段及び記録部材搬送手段を備え、前記間隔検出手段は前記記録部材上の画像パッチを検出することを特徴とした請求項２記載の画像形成装置。
【請求項７】
前記画像パッチ生成時の感光体回転速度、中間転写体回転速度又は記録部材搬送速度は、各々の通常速度をレーザビーム数で割ったときの商であることを特徴とした画像形成装置。
【請求項８】
請求項１又は２記載の画像形成装置において、前記間隔検出手段はカラー間のレジストレーションずれ検出用パッチの検出手段を兼ねることを特徴とした請求項３、４、５又は６記載の画像形成装置。
【発明の詳細な説明】
【技術分野】
【０００１】
本発明は、複数のレーザビームを走査出力するマルチビーム走査装置を備えた、電子写真方式のレーザビームプリンタや複写機などの画像形成装置に関する。
【背景技術】
【０００２】
従来より、電子写真方式のレーザビームプリンタや複写機などの画像形成装置ではレーザビームで感光体を走査露光して、感光体上に潜像を形成することが行われているが、近年においては、高速化を図るために、複数のレーザビームで同時に走査する、いわゆるマルチビーム方式が採用されている。
【０００３】
図２は４レーザビームのマルチビーム走査装置の概略構成図である。レーザ駆動手段３０より４レーザダイオードアレイ３１は駆動され、４本の第三のレーザビーム２〜３５が射出される。第三のレーザビーム２〜３５はコリメートレンズ４０を通過することにより平行化され、高速回転する回転多面鏡３６にて反射し、Ｆθレンズ３７を通過することにより、感光体３９の表面上では等速走査される。１走査で４ラインの潜像を同時に形成するため、回転多面鏡３６の回転速度やレーザビーム強度を上げることなく、潜像形成の高速化が図れる。また、主走査方向の書き込み開始位置を決めるために、画像領域外の主走査開始側に設けられたフォトセンサ等の同期検出手段により主走査同期信号を発生させ、これに基づいて主走査同期制御、すなわち、主走査方向の書出し位置制御を行っている。
【０００４】
同期検出手段３８は画像領域外にて主走査同期信号を検出する必要があるため、走査装置を構成する部品、特にレーザビームを走査する為の回転多面鏡３６の鏡面精度、ｆθレンズ３７の精度、同期検出手段３８の取り付け部の角度ずれによる入射レーザビームとの検出タイミングのずれ及び、レーザ駆動手段３０から出力される各レーザ駆動信号間のスキューにより、同期検出手段部３８で各々レーザビームに対応した同期信号を検出したとしても、感光体３９上に照射するレーザビームのタイミングが各々のレーザビームで異なる可能性があり、縦線の揺らぎ等、印刷画像に乱れを生じさせる原因を招く。例として、同期検出手段の取り付け部の角度がずれた場合について述べる。
【０００５】
図９は４レーザビーム走査装置における、同期検出手段、レーザビーム及び主走査同期信号の関係を表す図である。尚、実際の同期検知手段の受光部１４８は一つであるが、時系列に、第一のレーザビームの露光点１４０、第二のレーザビームの露光点１４１、第三のレーザビームの露光点１４２、第四のレーザビームの露光点１４３との関係を示すため、（Ａ），（Ｂ），（Ｃ），（Ｄ）の４箇所の位置に描画している。同期検知手段の受光部１４８は第一のレーザビーム軌道１４４、第二のレーザビーム軌道１４５、第三のレーザビーム軌道１４６、第四のレーザビーム軌道１４７に対し、垂直に配置されている。各レーザビームは主走査方向に対し、一定間隔を持って走査されている。（Ａ）のとき、第一のレーザビームの露光点１４０が同期検知手段の受光部１４８に到達し、同期検出手段の受光部１４８を通過するまでの間、主走査同期信号／ＢＤがＯＮ状態（Ｌｏｗ）となる。次いで、（Ｂ）の時、第二のレーザビームの露光点１４１が同期検出手段の受光部１４８に到達し、同期検出手段の受光部１４８を通過するまでの間、主走査同期信号／ＢＤがＯＮ状態（Ｌｏｗ）となる。（Ｃ），（Ｄ）関係のときも同様である。こうして得られた主走査同期信号／ＢＤ（上段）から、第一のレーザビーム〜４が同期検出手段の設置位置を通過する正確なタイミングを検出し、前記タイミングを各レーザビームに対する主走査方向の書出し位置制御の基準としている。
【０００６】
しかしながら、同期検出手段の取り付け等のバラツキで、同期検出手段の受光部１４８が破線で示す様に、各レーザビーム軌道に対し傾いてしまった場合、同期検出手段は、本来（Ｂ）の時点で第二のレーザビームの露光点１４１を検出しなければならないが、Ｔ１の時間遅れて検出することになる。同様に、第三のレーザビームの露光点１４２、第四のレーザビームの露光点１４３の検出も、それぞれＴ２、Ｔ３の遅れが生じ、得られる主走査同期信号／ＢＤは下段に示す波形となる。各レーザビームの主走査方向の書出し位置制御の基準である主走査同期信号／ＢＤと各レーザビームの主走査方向間隔との関係に誤差が生じることにより、縦線（副走査方向に平行な線）等の画像に乱れが生じる結果となる。
【０００７】
この様な問題を解決するために、印刷画像上のレーザ間主走査方向書出し位置ずれを防止するために、感光体上または記録部材上にドットずれ検出用パッチを生成後、ドットのずれ量を検出し、各レーザの主走査方向の書出し位置を補正する（例えば、特許文献1参照）。
【０００８】
【特許文献１】特開２００４−９３３６号公報
【発明の開示】
【発明が解決しようとする課題】
【０００９】
しかしながら、前記の従来の画像形成装置においては、ドットのずれ量を検出するために、ドットずれ検出用パッチが生成された範囲全体をドット単位以下で検出できるセンサを使用する必要があるが、この様なセンサは構造が複雑なために高価になってしまうという問題があった。
【課題を解決するための手段】
【００１０】
本発明は、画像信号に応じて、複数のレーザビームを出力するマルチビーム走査装置と、前記マルチビーム走査装置から出力されるレーザビームによって走査露光されながら、レーザビームの副走査方向に回転駆動される感光体と、レーザビームによって感光体上に形成された画像領域を現像する現像機と、現像された画像を記録部材に転写する転写器とを備える画像形成装置において、各レーザビームごとに独立したレーザビーム間主走査方向ずれ検出用画像パッチを複数生成するための画像信号を出力する画像信号生成手段と、生成した前記画像パッチ間の副走査方向間隔を検出する間隔検出手段と、検出した前記副走査方向の間隔から、レーザ間の主走査方向の書出し位置ずれ量を算出するずれ検出手段と、レーザ間の主走査方向ずれを補正する補正手段を備えることを特徴とする。
【００１１】
また、画像信号に応じて、複数のレーザビームを出力するマルチビーム走査装置と、前記マルチビーム走査装置から出力されるレーザビームによって走査露光されながら、レーザビームの副走査方向に回転駆動される感光体と、レーザビームによって感光体上に形成された画像領域を現像する現像機と、現像された画像を中間転写体に転写する第一転写器と、中間転写体上の画像を記録部材に転写する第二転写器とを備える画像形成装置において、各レーザビームごとに独立した、レーザビーム間主走査方向ずれ検出用画像パッチを複数生成するための画像信号を出力する画像信号生成手段と、生成した前記画像パッチ間の副走査方向間隔を検出する間隔検出手段と、検出した前記副走査方向の間隔から、レーザ間の主走査方向の書出し位置ずれ量を算出するずれ検出手段と、レーザ間の主走査方向ずれを補正する補正手段を備えることを特徴とする。
【００１２】
また、前記画像パッチ生成時、前記感光体の回転速度を通常よりも減速する感光体駆動手段を備え、前記間隔検出手段は前記感光体上画像パッチを検出することを特徴とする。
【００１３】
また、請求項４に係る発明は、請求項２の画像形成装置において、前記画像パッチ生成時、前記感光体の回転速度及び、記録部材の搬送速度を通常よりも減速する感光体駆動手段および搬送手段を備え、前記間隔検出手段は前記記録部材上の画像パッチを検出することを特徴とする。
【００１４】
また、前記画像パッチ生成時、前記感光体及び前記中間転写体の回転速度を通常よりも減速する感光体駆動手段および中間転写体駆動手段を備え、前記間隔検出手段は前記中間転写体上の画像パッチを検出することを特徴とする。
【００１５】
また、前記画像パッチ生成時、前記感光体及び前記中間転写体の回転速度と、前記記録部材の搬送速度を、通常よりも減速する感光体駆動手段、中間転写体駆動手段及び記録部材搬送手段を備え、前記間隔検出手段は前記記録部材上の画像パッチを検出することを特徴とする。
【００１６】
また、前記画像パッチ生成時の感光体回転速度、中間転写体回転速度又は記録部材搬送速度は、各々の通常速度をレーザビーム数で割った商であることを特徴とする。
【００１７】
また、前記間隔検出手段はカラー間のレジストレーションずれ検出用パッチの検出手段を兼ねることを特徴とする。
【発明の効果】
【００１８】
本発明に係る画像形成装置は、広範囲な領域の画像を高精細に検知可能である高価なセンサを使用することなく、構造が単純で安価なセンサ或いは既存のセンサを使用することにより、レーザ間の主走査方向書出し位置ずれを補正可能となる。
【発明を実施するための最良の形態】
【００１９】
高価なセンサを使用せずに、構造が単純で安価なセンサを使用することで、レーザ間での主走査方向書出し位置ずれを防止するという目的のため、簡単且つ最良の方法で実現した。以下に本発明の一実施は例を図面を用いて説明する。
【００２０】
図１に、本発明を用いた４レーザビームのタンデム式カラー画像形成装置の概略構成図を示す。簡単化のため、１色の印写部のみを詳細に記載している。以降、１色のみについて説明を行うが、他色についても同様である。また、４レーザビームの場合について述べるが、２レーザビーム以上の画像形成装置に適用可能である。
【００２１】
レーザ駆動手段５は印刷領域外にて走査毎に４レーザダイオードアレイ１２から４本のレーザビームを射出させている。印刷領域外に設置され、フォトダイオード等で構成される同期検出手段１５は各レーザビームを受光すると、図３に示す、主走査同期信号／ＢＤを出力する。主走査同期信号／ＢＤはクロック同期手段２に入力され、図示しない発振器から供給される１ドット当りのレーザビーム発光時間に等しい周期を持つクロック信号を主走査同期信号に同期させ、図３に示す、各レーザビームに対応するドットクロック信号ＶＣＬＫ１／２／３／４を出力する。
【００２２】
走査ずれ補正手段３は、各レーザビームの主走査方向の書出し位置を１／８ドット単位で補正する。図４に本発明を用いた走査ずれ補正手段のブロック図を示す。走査ずれ補正手段３はＦＩＦＯメモリ５０〜５３、遅延素子５４〜６５、選択回路６６〜６８で構成される。画像信号ＶＤ１／２／３／４は画像信号生成手段１より出力される各レーザビームに対応した信号である。画像信号ＶＤ１／２／３／４は一旦ＦＩＦＯメモリ５０〜５３に格納され、読み出し時に各レーザビームに対応するドットクロック信号ＶＣＬＫ１／２／３／４に同期して読み出される。１ドット以上のずれ補正は、ドットクロック信号ＶＣＬＫ１／２／３／４をカウントし、ＦＩＦＯメモリ５０〜５３からの読み出しタイミングを変更して行う。遅延素子５４〜６５一つ当りの遅延時間は１／８ドットに相当する時間であり、１ドット以下のずれ補正は遅延素子５４〜６５で遅延させた画像信号ＶＤ１／２／３／４＿ＤＬ０〜７の何れかを選択回路６６〜６８にて選択することにより行う。
【００２３】
画像信号生成手段１はレーザビーム間の主走査方向ずれ検出用パッチに応じた画像信号を送出する。
【００２４】
図５に本発明を用いた前記パッチ形状の一例を示す。各レーザビーム単独で、主走査方向に水平な線（以下、水平線パッチ）と、主走査方向に対し４５°の斜線（斜線パッチ）を１対とし、４対のパッチを１組として形成する。即ち、パッチ８０，８１の対は第一のレーザビーム、パッチ８２，８３の対は第二のレーザビーム、パッチ８４，８５の対は第三のレーザビーム、パッチ８６，８７の対は第四のレーザビームにて、帯電器８Ｙにより均一に帯電した感光体９Ｙ上に潜像が形成される。感光体９Ｙ上に形成されたパッチの潜像には現像機１０Ｙによって帯電したトナーが付着し現像される。次いで、第１転写ロール１１Ｙの静電力により、現像されたパッチは中間転写ベルト１７に転写される。
また、後述するようにパッチ検出手段１６が記録部材搬送パス２５に対向して設置されている場合、中間転写ベルト１７上のパッチを第２転写ロール２１の静電力によって、記録部材２４に転写する。
【００２５】
モータ制御手段６はパッチ生成時、感光体駆動モータ２６及び中間転写ベルト駆動モータ１９の回転制御を行い、感光体９Ｙ及び中間転写ベルト１７の回転速度を通常印刷時よりも減速する。減速しない場合、パッチの斜め線が不連続線となってしまい、後述するパッチ検出手段の検出精度が低下する。これを防止するため、感光体９Ｙおよび、中間転写ベルト１７の回転速度を、それぞれの通常印刷時速度をレーザビーム数で割った商とする。即ち、４レーザビームの場合は通常印刷時速度の１／４である。
【００２６】
また、後述するように、パッチ検出手段が記録部材搬送パス２５に対向して設置されている場合、記録部材速度も感光体、中間転写ベルト１７と同様に減速する。
【００２７】
パッチ検出手段１６は第１転写点と第２転写点の中間にて、中間転写ベルト１７に対向し設置されている。
【００２８】
図６にパッチ検出手段１６の概略構造図を示す。パッチ検出手段１６は２系統のＬＥＤ駆動回路９２，９３、ＬＥＤ９４，９５、レンズ９６，９７、フォトダイオード９８，９９、コンパレータ１００，１０１からなり、それぞれ、水平線パッチ１０４と斜め線パッチ１０５を検出する。ＬＥＤ駆動回路９２，９３によりＬＥＤ９４，９５を発光させ、中間転写ベルト１０３からの反射光を、レンズ９６，９７を介して、フォトダイオード９８，９９にて受光する。パッチの有無によって変化する反射光の強度によりフォトダイオード９８，９９の出力も変化する。フォトダイオード９８，９９の出力をコンパレータ１００，１０１により規定の閾値と比較し、パッチ検出手段１６の出力Ｈ＿ＰＡＴ＿ＤＥＴ及びＳ＿ＰＡＴ＿ＤＥＴをパッチの有無で２値化する。
【００２９】
また、パッチ検出手段１６は感光体９Ｙまたは、記録部材搬送パス２５に対向して設置し、感光体上または、搬送されている記録部材２４上のパッチを検出しても良い。
【００３０】
また、パッチ検出手段１６は、カラー画像形成装置における各色のレジストレーションずれ量検出用パッチの検出手段を兼ねることも可能である。
【００３１】
走査ずれ検出手段４は、パッチ検出手段１６より出力される水平線パッチ検出信号Ｈ＿ＰＡＴ＿ＤＥＴと、斜め線パッチ検出信号Ｓ＿ＰＡＴ＿ＤＥＴとから、第二の第三の第四のレーザビームの主走査方向書出し位置ずれ量を検出する。
【００３２】
図７はパッチとパッチ検出信号との関係を表す図である。パッチ１２２，１２６は第一のレーザビーム、パッチ１２３，１２７は第二のレーザビーム、パッチ１２４，１２８は第三のレーザビーム、パッチ１２５，１２９は第四のレーザビームのみで生成されたパッチである。パッチ検出手段１６は水平線パッチ検出ポイント１２０を水平線パッチ１２２，１２３，１２４，１２５が通過する際、水平線パッチ検出信号Ｈ＿ＰＡＴ＿ＤＥＴ信号をＯＮ（Ｈｉｇｈ）にする。また、斜め線パッチ検出ポイント１２１を斜め線パッチ１２６，１２７，１２８，１２９が通過する際、斜め線パッチ検出信号Ｓ＿ＰＡＴ＿ＤＥＴ信号をＯＮ（Ｈｉｇｈ）にする。走査ずれ検出手段４では水平線パッチ検出信号Ｈ＿ＰＡＴ＿ＤＥＴのＯＮ間隔時間Ｔｈ０〜２と、斜め線パッチ検出信号Ｓ＿ＰＡＴ＿ＤＥＴのＯＮ間隔時間Ｔｓ０〜２を計測する。次いで、第一のレーザビームを基準に、第二の第三の第四のレーザビームの主走査方向書出し位置ずれ量を検出する。以下、第二のレーザビームについて述べる。第一のレーザビームとの主走査方向書出し位置ずれ量が０である場合、Ｔｈ０＝Ｔｓ０であり、斜め線パッチが主走査方向に対し４５°であることより、第二のレーザビームのドット単位でのずれ量Δｄ０は主走査方向を正とすると、
Δｄ０＝(Ｔｈ０−Ｔｓ０)×(通常の中間転写ベルト周速)÷(レーザビーム数)÷(１ドットの副走査方向長)
で算出される（単位は「ドット」である）。
【００３３】
同様に第一のレーザビームに対する第三のレーザビームのずれ量Δｄ１、第四のレーザビームのずれ量Δｄ２は、
Δｄ１＝(Ｔｈ１−Ｔｓ１)×(通常の中間転写ベルト周速)÷(レーザビーム数)÷(１ドットの副走査方向長)
Δｄ２＝(Ｔｈ２−Ｔｓ２)×(通常の中間転写ベルト周速)÷(レーザビーム数)÷(１ドットの副走査方向長)
各ずれ量Δｄ０〜２から、第二のレーザビーム〜４の主走査方向書出し位置の補正値が算出され、走査ずれ補正手段にフィードバックが行われる。
【００３４】
図８は本発明を用いたレーザビーム間の主走査方向ずれ補正のフローチャートである。まず、印刷可能状態に画像形成装置をする。ただし、感光体、中間転写ベルトは通常速度の１／４とする（Ｓ１０１）。画像信号生成手段１より、レーザビーム間主走査方向ずれ検出用パッチを生成する画像信号が送出され、中間転写ベルト１７にパッチが生成される。パッチは図５に示す８個（４対）を１組とし、中間転写ベルト１７の約１周分となる組数とする（Ｓ１０２）。パッチ検出信号のＯＮ間隔時間Ｔｈ０〜２、Ｔｓ０〜２を計測する（Ｓ１０３）。中間転写ベルト１７の約一周分となる規定数のＴｈ０〜２、Ｔｓ０〜２を取り込む（Ｓ１０４）。感光体９Ｙ、中間転写ベルト１７の速度変動、パッチが中間転写ベルト１７に転写される際の転写ブレ等に起因する測定誤差を低減するため、Ｔｈ０〜２、Ｔｓ０〜２の平均値を算出する（Ｓ１０５）。Ｔｈ０〜２、Ｔｓ０〜２の平均値から、第一のレーザビームに対する第二のレーザビーム〜４の主走査方向のずれ量を算出する（Ｓ１０６）。第二のレーザビーム〜４の主走査方向書出し位置に対する補正値を算出する（Ｓ１０７）。求めた補正値を走査ずれ補正手段に適用する（Ｓ１０８）。感光体９Ｙ、中間転写ベルト１７の回転速度を通常速度とし、印刷を開始する。または、停止して印刷待機状態とする（Ｓ１０９）。
【図面の簡単な説明】
【００３５】
【図１】本発明を用いた４レーザビームのタンデム式カラー画像形成装置の概略構成図。
【図２】４レーザビームのマルチビーム走査装置の概略構成図。
【図３】主走査同期信号とドットクロック信号の関係を示すタイミングチャート。
【図４】本発明を用いた走査ずれ補正手段のブロック図。
【図５】本発明を用いた前記パッチ形状の一例を示す図。
【図６】パッチ検出手段の概略構造図。
【図７】パッチとパッチ検出信号との関係を表す図
【図８】本発明を用いたレーザビーム間の主走査方向ずれ補正のフローチャート。
【図９】４レーザビーム走査装置における、同期検出手段とレーザビームと主走査同期信号の関係を示す図。
【符号の説明】
【００３６】
１：画像信号生成手段
２：クロック同期手段
３：走査ずれ補正手段
４：走査ずれ検出手段
５，３０：レーザ駆動手段
６：モータ制御手段
７Ｙ，７Ｍ，７Ｃ，７Ｋ，４１：４レーザビーム走査装置
８Ｙ，８Ｍ，８Ｃ，８Ｋ：帯電器
９Ｙ，９Ｍ，９Ｃ，９Ｋ，３９：感光体
１０Ｙ，１０Ｍ，１０Ｃ，１０Ｋ：現像機
１１Ｙ，１１Ｍ，１１Ｃ，１１Ｋ：第１転写ローラ
１２，３１：４レーザダイオードアレイ
１３，３６：回転多面鏡
１４，３７：Ｆθレンズ
１５，３８：同期検出手段
１６：パッチ検出手段
１７，１０３：中間転写ベルト
１８：中間転写ベルト駆動ローラ
１９：中間転写ベルト駆動モータ
２０：中間転写ベルト駆動ベルト
２１：第２転写ローラ
２２：バックアップローラ
２３：定着機
２４：記録部材
２５：記録部材搬送パス
２６：感光体駆動モータ
３２：第一のレーザビーム
３３：第二のレーザビーム
３４：第三のレーザビーム
３５：第四のレーザビーム
４０：コリメートレンズ
５０〜５３：ＦＩＦＯメモリ
５４〜６５：遅延素子
６６〜６８：選択回路
８０〜８６，１０４，１２２〜１２５：水平線パッチ
８１〜８７，１０５，１２６〜１２９：斜め線パッチ
９０：水平線パッチ検出手段
９１：斜め線パッチ検出手段
９２，９３：ＬＥＤ駆動回路
９４，９５，１０６，１０７：ＬＥＤ
９６，９７，１０８，１０９：レンズ
９８，９９，１１０，１１１：フォトダイオード
１００，１０１：コンパレータ
１２０：水平線パッチ検出ポイント
１２１：斜め線パッチ検出ポイント
１４０：第一のレーザビームの露光点
１４１：第二のレーザビームの露光点
１４２：第三のレーザビームの露光点
１４３：第四のレーザビームの露光点
１４４：第一のレーザビームの軌道
１４５：第二のレーザビームの軌道
１４６：第三のレーザビームの軌道
１４７：第四のレーザビームの軌道
１４８：同期検出手段の受光部
【図１】
2005349748.tif 000003
【図２】
2005349748.tif 000004
【図３】
2005349748.tif 000005
【図４】
2005349748.tif 000006
【図５】
2005349748.tif 000007
【図６】
2005349748.tif 000008
【図７】
2005349748.tif 000009
【図８】
2005349748.tif 000010
【図９】
2005349748.tif 000011